(57)【要約】【課題】原稿束から白紙面を有する原稿だけを取り出す作業を簡素化させる。【解決手段】画像読取装置は、原稿セットトレイと、第１排出トレイと、第２排出トレイと、メイン搬送路と、スイッチバック搬送路と、引込搬送路と、原稿搬送部と、画像読取部と、制御部と、受付部と、を備え、制御部は、表面読み取りを行わせることによって原稿の表面が白紙面であるか否かを判断するとともに、表面が非白紙面である場合には、裏面読み取りを行わせることによって原稿の裏面が白紙面であるか否かの判断を行い、表面読み取りで表面が白紙面であると判断した原稿を第１排出トレイに排出させるとともに、裏面読み取りで裏面が白紙面であると判断した原稿も第１排出トレイに排出させ、裏面読み取りで裏面が非白紙面であると判断した原稿は第２排出トレイに排出させる。【選択図】図１５
2017183809.tif 000002
【特許請求の範囲】
【請求項１】
原稿がセットされる原稿セットトレイと、
原稿が排出される第１排出トレイと、
原稿が排出される第２排出トレイと、
前記原稿セットトレイから予め定められた読取位置を経由して前記第１排出トレイに至るメイン搬送路と、
前記第２排出トレイから前記メイン搬送路の前記読取位置よりも原稿搬送方向上流側の位置に至り、当該位置において前記メイン搬送路に合流するスイッチバック搬送路と、
前記メイン搬送路の前記読取位置よりも原稿搬送方向下流側の分岐位置において前記メイン搬送路から分岐して前記スイッチバック搬送路に合流する引込搬送路と、
前記原稿セットトレイから前記メイン搬送路に原稿を給紙して前記メイン搬送路に沿って搬送するとともに、前記読取位置での原稿の表裏面の向きを反転させる場合には、前記読取位置から前記引込搬送路を介して前記スイッチバック搬送路に原稿を進入させた後、前記スイッチバック搬送路にて原稿をスイッチバックさせ、スイッチバックさせた原稿を前記スイッチバック搬送路から前記メイン搬送路に戻す原稿搬送部と、
前記メイン搬送路に沿って搬送される原稿が前記読取位置を通過するときに原稿を読み取る画像読取部と、
前記原稿搬送部の原稿搬送動作および前記画像読取部の画像読取動作を制御するとともに、原稿の読み取りによって得られた原稿の画像データに基づき原稿の読取面が白紙面であるか非白紙面であるかを判断し、原稿の少なくとも片面が前記白紙面である原稿と両面が共に前記非白紙面である原稿とを仕分けるための仕分け処理を実行する制御部と、
前記仕分け処理の開始指示を受け付けるとともに、前記仕分け処理を標準モードで実行するか否かを受け付ける受付部と、を備え、
前記標準モードでの前記仕分け処理の開始指示を前記受付部が受け付けたとき、
前記制御部は、原稿の表面を読み取る表面読み取りを行わせることによって原稿の表面が前記白紙面であるか否かを判断するとともに、原稿の表面が前記非白紙面である場合には、原稿をスイッチバックさせてから原稿の裏面を読み取る裏面読み取りを行わせることによって原稿の裏面が前記白紙面であるか否かの判断を行い、
前記制御部は、前記表面読み取りで表面が前記白紙面であると判断した原稿を前記第１排出トレイに排出させるとともに、前記裏面読み取りで裏面が前記白紙面であると判断した原稿も前記第１排出トレイに排出させ、前記裏面読み取りで裏面が前記非白紙面であると判断した原稿は前記第２排出トレイに排出させることを特徴とする画像読取装置。
【請求項２】
原稿の搬送方向長さが前記読取位置と前記分岐位置との間の原稿搬送距離から予め定められたマージンを減じた閾値長さよりも長い場合、
前記制御部は、原稿の搬送方向先端が前記読取位置に到達してから原稿が前記閾値長さに相当する距離を進むのに要する所要時間が経過したとき、原稿の搬送方向先端が前記読取位置に到達してから前記所要時間が経過するまでの原稿の読み取りによって得られた原稿の一部領域の画像データに基づき原稿の読取面が前記白紙面であるか否かの判断を行い、
前記表面読み取りで原稿の表面が前記白紙面であると判断したとき、前記制御部は、原稿を前記読取位置からそのまま前記第１排出トレイに排出させ、前記表面読み取りで原稿の表面が前記非白紙面であると判断したとき、前記制御部は、原稿をスイッチバックさせるとともに前記裏面読み取りを行わせ、
前記裏面読み取りで原稿の裏面が前記白紙面であると判断したとき、前記制御部は、原稿を前記読取位置からそのまま前記第１排出トレイに排出させ、前記裏面読み取りで原稿の裏面が前記非白紙面であると判断したとき、原稿を前記引込搬送から前記スイッチバック搬送路に進入させた後、原稿をスイッチバックさせずにそのまま前記第２排出トレイに排出させることを特徴とする請求項１に記載の画像読取装置。
【請求項３】
表示部を備え、
前記制御部は、前記仕分け処理が完了したとき、前記第１排出トレイに既に排出されている原稿を前記原稿セットトレイに再セットしてから前記仕分け処理の開始指示を再度行うよう促すための報知メッセージを前記表示部に表示させ、
前記報知メッセージは、前記第１排出トレイへの原稿の排出時に搬送方向後端となっていた原稿端が前記原稿セットトレイからの給紙時には搬送方向先端となるように、かつ、前記白紙面と判断された原稿面が前記表面読み取りの読取面となるように、前記第１排出トレイに原稿を再セットさせるためのメッセージを含むことを特徴とする請求項２に記載の画像読取装置。
【請求項４】
原稿の搬送方向長さが前記読取位置と前記分岐位置との間の原稿搬送距離から予め定められたマージンを減じた閾値長さよりも長い場合、
前記制御部は、原稿を前記引込搬送路から前記スイッチバック搬送路に進入させつつ原稿の読み取りを行わせ、原稿の搬送方向先端から搬送方向後端までの全領域の読み取りが終了したとき、前記全領域の画像データに基づき原稿の読取面が前記白紙面であるか否の判断を行い、
前記表面読み取りで原稿の表面が前記白紙面であると判断したとき、前記制御部は、原稿をスイッチバックさせてから原稿を前記第１排出トレイに排出させ、前記表面読み取りで原稿の表面が前記非白紙面であると判断したとき、前記制御部は、原稿をスイッチバックさせるとともに前記裏面読み取りを行わせ、
前記裏面読み取りで原稿の裏面が前記白紙面であると判断したとき、前記制御部は、原稿を再度スイッチバックさせてから原稿を前記第１排出トレイに排出させ、前記裏面読み取りで原稿の裏面が前記非白紙面であると判断したとき、前記制御部は、前記スイッチバック搬送路に進入させた原稿をスイッチバックさせずにそのまま前記第２排出トレイに排出させることを特徴とする請求項１に記載の画像読取装置。
【請求項５】
原稿の搬送方向長さが前記読取位置と前記分岐位置との間の原稿搬送距離から予め定められたマージンを減じた閾値長さ以下である場合、
前記制御部は、原稿の搬送方向先端から搬送方向後端までの全領域の読み取りが終了したとき、前記全領域の画像データに基づき原稿の読取面が前記白紙面であるか否の判断を行い、
前記表面読み取りで原稿の表面が前記白紙面であると判断したとき、前記制御部は、原稿を前記読取位置からそのまま前記第１排出トレイに排出させ、前記表面読み取りで原稿の表面が前記非白紙面であると判断したとき、前記制御部は、原稿をスイッチバックさせるとともに前記裏面読み取りを行わせ、
前記裏面読み取りで原稿の裏面が前記白紙面であると判断したとき、前記制御部は、原稿を前記読取位置からそのまま前記第１排出トレイに排出させ、前記裏面読み取りで原稿の裏面が前記非白紙面であると判断したとき、原稿を前記引込搬送路から前記スイッチバック搬送路に進入させた後、原稿をスイッチバックさせずにそのまま前記第２排出トレイに排出させることを特徴とする請求項１〜４のいずれか１項に記載の画像読取装置。
【請求項６】
前記原稿搬送部は、前記メイン搬送路の前記第１排出トレイへの排出口の近傍位置に配置されるとともに回転することによって原稿を前記第１排出トレイに排出する排出ローラー対を含み、
前記受付部は、前記仕分け処理を速度切替モードで実行するか否かを受け付け、
前記速度切替モードでの前記仕分け処理の開始指示を前記受付部が受け付けた場合、
前記制御部は、前記白紙面を有する原稿を前記第１排出トレイに排出させるとともに、前記白紙面を有さない原稿も前記第１排出トレイに排出させ、
前記制御部は、前記白紙面を有する原稿および前記白紙面を有さない原稿のうち、一方の原稿が前記排出ローラー対にだけニップされた状態になったとき、前記排出ローラー対の回転速度を前記一方の原稿とは別の他方の原稿を排出するときの回転速度よりも速くすることを特徴とする請求項１〜５のいずれか１項に記載の画像読取装置。
【請求項７】
表示部を備え、
前記受付部は、前記仕分け処理を逐次通知モードで実行するか否かを受け付け、
前記逐次通知モードでの前記仕分け処理の開始指示を前記受付部が受け付けた場合、
前記制御部は、前記白紙面を有する原稿を前記第１排出トレイに排出させるとともに、前記白紙面を有さない原稿も前記第１排出トレイに排出させ、
前記制御部は、前記裏面読み取りで原稿の裏面が前記非白紙面であると判断したとき、原稿の搬送を中断させるとともに、前記第１排出トレイに既に排出されている原稿を取り除くよう促すためのメッセージを前記表示部に表示させ、その後、前記受付部が前記仕分け処理の再開指示を受け付けたとき、原稿の搬送を再開させることを特徴とする請求項１〜６のいずれか１項に記載の画像読取装置。
【請求項８】
請求項１〜７のいずれか１項に記載の画像読取装置を備えた画像形成装置。
【発明の詳細な説明】
【技術分野】
【０００１】
本発明は、原稿を読み取る画像読取装置および画像形成装置に関する。
【背景技術】
【０００２】
原稿の表裏面のうち片面が白紙面である場合、その原稿の再利用が可能となる。たとえば、白紙面を有する原稿は、コピー用紙やメモ用紙として再利用可能である。
【０００３】
ここで、従来の画像形成装置には、コピー用紙として装置内に収容された原稿が白紙面を有する原稿であるか否かを判断し、白紙面を有する原稿であれば、当該原稿の白紙面に画像を印刷するものがある。このような画像形成装置は、たとえば、特許文献１に開示されている。
【０００４】
特許文献１の画像形成装置は、コピー用紙が収容される給紙カセットから印刷位置に至る用紙搬送経路の途中に配置された読取手段を備え、読取手段によって搬送中の原稿を読み取り、その読み取り結果に基づき、搬送中の原稿が白紙面を有するか否かを判断する。そして、搬送中の原稿が白紙面を有する場合には、当該原稿の白紙面に画像を印刷する。一方で、搬送中の原稿が白紙面を有さない場合には、当該原稿への印刷は行わない。
【先行技術文献】
【特許文献】
【０００５】
【特許文献１】特開平１０−９７１１２号公報
【発明の概要】
【発明が解決しようとする課題】
【０００６】
特許文献１では、白紙面を有する原稿および白紙面を有さない原稿が混在した原稿束を給紙カセットに収容すると、白紙面を有する原稿はコピー用紙として使用される。すなわち、白紙面を有する原稿の白紙面に画像が印刷されてしまう。
【０００７】
このため、白紙面を有する原稿および白紙面を有さない原稿が混在した原稿束から白紙面を有する原稿だけを取り出してメモ用紙として再利用したい場合には、原稿束の各原稿を１枚ずつ確認しながら白紙面を有する原稿と白紙面を有さない原稿とを仕分けなければならない。したがって、白紙面を有する原稿をメモ用紙として再利用したいユーザーからすると、煩雑な仕分け作業を行わなければならないので、利便性が悪い。
【０００８】
本発明は、上記の課題を解決するためになされたものであり、原稿束から白紙面を有する原稿だけを取り出す作業（ユーザーが行う仕分け作業）を簡素化させることが可能な画像読取装置および画像形成装置を提供することを目的とする。
【課題を解決するための手段】
【０００９】
上記の目的を達成するために、本発明の画像読取装置は、原稿がセットされる原稿セットトレイと、原稿が排出される第１排出トレイと、原稿が排出される第２排出トレイと、原稿セットトレイから予め定められた読取位置を経由して第１排出トレイに至るメイン搬送路と、第２排出トレイからメイン搬送路の読取位置よりも原稿搬送方向上流側の位置に至り、当該位置においてメイン搬送路に合流するスイッチバック搬送路と、メイン搬送路の読取位置よりも原稿搬送方向下流側の分岐位置においてメイン搬送路から分岐してスイッチバック搬送路に合流する引込搬送路と、原稿セットトレイからメイン搬送路に原稿を給紙してメイン搬送路に沿って搬送するとともに、読取位置での原稿の表裏面の向きを反転させる場合には、読取位置から引込搬送路を介してスイッチバック搬送路に原稿を進入させた後、スイッチバック搬送路にて原稿をスイッチバックさせ、スイッチバックさせた原稿をスイッチバック搬送路からメイン搬送路に戻す原稿搬送部と、メイン搬送路に沿って搬送される原稿が読取位置を通過するときに原稿を読み取る画像読取部と、原稿搬送部の原稿搬送動作および画像読取部の画像読取動作を制御するとともに、原稿の読み取りによって得られた原稿の画像データに基づき原稿の読取面が白紙面であるか非白紙面であるかを判断し、原稿の少なくとも片面が白紙面である原稿と両面が共に非白紙面である原稿とを仕分けるための仕分け処理を実行する制御部と、仕分け処理の開始指示を受け付けるとともに、仕分け処理を標準モードで実行するか否かを受け付ける受付部と、を備える。そして、標準モードでの仕分け処理の開始指示を受付部が受け付けたとき、制御部は、原稿の表面を読み取る表面読み取りを行わせることによって原稿の表面が白紙面であるか否かを判断するとともに、原稿の表面が非白紙面である場合には、原稿をスイッチバックさせてから原稿の裏面を読み取る裏面読み取りを行わせることによって原稿の裏面が白紙面であるか否かの判断を行う。また、制御部は、表面読み取りで表面が白紙面であると判断した原稿を第１排出トレイに排出させるとともに、裏面読み取りで裏面が白紙面であると判断した原稿も第１排出トレイに排出させ、裏面読み取りで裏面が非白紙面であると判断した原稿は第２排出トレイに排出させる。
【００１０】
本発明の構成では、原稿セットトレイに原稿束をセットし、標準モードでの仕分け処理の開始指示を行うと、白紙面を有する原稿は第１排出トレイに排出され、白紙面を有さない原稿は第２排出トレイに排出される。すなわち、原稿束を成す複数枚の原稿が白紙面を有する原稿と白紙面を有さない原稿とに仕分けされる。これにより、煩雑な作業（原稿束の各原稿を１枚ずつ確認する作業など）を行わなくても、原稿束から白紙面を有する原稿だけを取り出すことができる。すなわち、ユーザーが行う仕分け作業が簡素化される。
【発明の効果】
【００１１】
本発明の構成では、原稿束から白紙面を有する原稿だけを取り出す作業（ユーザーが行う仕分け作業）を簡素化させることができる。
【図面の簡単な説明】
【００１２】
【図１】本発明の一実施形態による複合機の全体構成を示す図
【図２】本発明の一実施形態による複合機に設置された原稿搬送ユニットおよび画像読取ユニットの各構成を示す図（切替爪が閉位置に在るときの図）
【図３】本発明の一実施形態による複合機に設置された原稿搬送ユニットおよび画像読取ユニットの各構成を示す図（切替爪が開位置に在るときの図）
【図４】本発明の一実施形態による複合機のハードウェア構成を示す図
【図５】第１標準モードでの１回目の仕分け処理において白紙判定の対象となる領域を示す図
【図６】第１標準モードでの１回目の仕分け処理における原稿搬送経路を示す図（表面が白紙面である場合の原稿搬送経路を示す図）
【図７】第１標準モードでの１回目の仕分け処理における原稿搬送経路を示す図（裏面が白紙面である場合の原稿搬送経路を示す図）
【図８】第１標準モードでの１回目の仕分け処理における原稿搬送経路を示す図（表裏面が共に白紙面ではない場合の原稿搬送経路を示す図）
【図９】第１標準モードでの１回目の仕分け処理が完了したときに表示される報知メッセージを示す図
【図１０】第１標準モードでの１回目の仕分け処理が完了したときの原稿の排出状態を示す図
【図１１】第１標準モードでの２回目の仕分け処理において白紙判定の対象となる領域を示す図
【図１２】第１標準モードでの２回目の仕分け処理における原稿搬送経路を示す図（表裏面が共に白紙面ではない場合の原稿搬送経路を示す図）
【図１３】第１標準モードでの仕分け処理において白紙判定の対象とならない未判定領域を示す図
【図１４】第２標準モードでの仕分け処理における原稿搬送経路を示す図（裏面が白紙面である場合の原稿搬送経路を示す図）
【図１５】仕分け処理を標準モードで実行するときの流れについて説明するためのフローチャート
【図１６】速度切替モードでの仕分け処理が完了したときの原稿の排出状態を示す図
【図１７】逐次通知モードでの仕分け処理において搬送中の原稿の裏面が白紙面であると判断されたときに表示される報知メッセージを示す図
【発明を実施するための形態】
【００１３】
本発明の一実施形態について、スキャン機能やプリント機能など複数種の機能が搭載された複合機を例にとって説明する。
【００１４】
＜＜複合機の全体構成＞＞
図１に示すように、本実施形態の複合機１００は、原稿搬送ユニット１および画像読取ユニット２を備える。原稿搬送ユニット１および画像読取ユニット２は、複合機１００の装置本体の上方に配置される。なお、原稿搬送ユニット１および画像読取ユニット２の各構成については、後に詳細に説明する。
【００１５】
また、複合機１００は、給紙部３、用紙搬送部４、画像形成部５および定着部６によって構成される印刷部７を備える。印刷部７は、用紙Ｐを用紙搬送路７０に沿って搬送するとともに、印刷すべき画像の画像データ（たとえば、原稿Ｄの画像データなど）に基づきトナー像を形成する。そして、印刷部７は、搬送中の用紙Ｐにトナー像を印刷（転写）する。
【００１６】
給紙部３は、ピックアップローラー３１および給紙ローラー対３２を含み、カセット３３に収容された用紙Ｐを用紙搬送路７０に給紙する。用紙搬送部４は、複数の搬送ローラー対４１を含み、用紙搬送路７０に沿って用紙Ｐを搬送し、印刷済みの用紙Ｐを用紙排出トレイ７１に排出する。
【００１７】
画像形成部５は、感光体ドラム５１、帯電装置５２、露光装置５３、現像装置５４、転写ローラー５５およびクリーニング装置５６を含む。この画像形成部５は、トナー像を形成し、そのトナー像を用紙Ｐに転写する。定着部６は、加熱ローラー６１および加圧ローラー６２を含み、用紙Ｐに転写されたトナー像を加熱および加圧して用紙Ｐに定着させる。
【００１８】
また、複合機１００は、操作パネル８を備える。操作パネル８は、タッチパネルディスプレイ８１（タッチパネル付きの液晶表示パネル）やハードウェアキー８２を含む。タッチパネルディスプレイ８１は、ソフトウェアキーなどを表示し、ユーザーから各種設定を受け付ける。ハードウェアキー８２は、操作パネル８に複数設けられる。たとえば、ハードウェアキー８２としては、各種処理（たとえば、後述する仕分け処理）の開始指示をユーザーから受け付けるためのスタートキーなどがある。なお、操作パネル８は、「受付部」および「表示部」に相当する。
【００１９】
＜＜原稿搬送ユニットおよび画像読取ユニットの各構成＞＞
図２に示すように、原稿搬送ユニット１は、画像読取ユニット２の読取筐体２００に対して回動可能に設置される。読取筐体２００には、搬送読取用のコンタクトガラスＧ１および載置読取用のコンタクトガラスＧ２が互いに異なる位置に嵌め込まれる。そして、搬送読取の実行時には、原稿搬送ユニット１によってコンタクトガラスＧ１上に原稿Ｄが自動搬送され、コンタクトガラスＧ１上を通過する原稿Ｄの読み取りが行われる。載置読取の実行時には、コンタクトガラスＧ２上に載置された原稿Ｄの読み取りが行われる。
【００２０】
まず、原稿搬送ユニット１について説明する。原稿搬送ユニット１は、原稿Ｄがセットされる原稿セットトレイ１１０および原稿Ｄが排出される原稿排出トレイ１１１を含む。さらに、原稿搬送ユニット１は、原稿排出トレイ１１１の上方に設置されたスイッチバックトレイ１１２を含む。原稿排出トレイ１１１は「第１排出トレイ」に相当し、スイッチバックトレイ１１２は「第２排出トレイ」に相当する。
【００２１】
また、原稿搬送ユニット１には、原稿Ｄを搬送するための原稿搬送路が設けられる。原稿搬送路は、メイン搬送路ＭＰと、スイッチバック搬送路ＳＰと、引込搬送路ＤＰとを含む。
【００２２】
メイン搬送路ＭＰは、原稿セットトレイ１１０から読取位置ＲＰ（搬送読取の実行時に原稿Ｄを読み取る位置であってコンタクトガラスＧ１上の所定位置）を経由して原稿排出トレイ１１１に至る。これにより、原稿セットトレイ１１０からメイン搬送路ＭＰに原稿Ｄが給紙され、その原稿Ｄがメイン搬送路ＭＰに沿って搬送されると、搬送中の原稿Ｄが読取位置ＲＰを通過する。なお、原稿セットトレイ１１０からメイン搬送路ＭＰに給紙された原稿Ｄが読取位置ＲＰを通過するときには、原稿Ｄの表面（原稿セットトレイ１１０への原稿Ｄのセット時に上方に向けた面）がコンタクトガラスＧ１と対向する。したがって、読取位置ＲＰにおいて原稿Ｄの表面が読み取られる。
【００２３】
スイッチバック搬送路ＳＰは、原稿Ｄをスイッチバックさせ、スイッチバックさせた原稿Ｄをメイン搬送路ＭＰに戻す（読取位置ＲＰでの原稿Ｄの表裏面の向きを反転させる）ための搬送路である。スイッチバック搬送路ＳＰは、スイッチバックトレイ１１２からメイン搬送路ＭＰの読取位置ＲＰよりも原稿搬送方向上流側の位置に至り、当該位置においてメイン搬送路ＭＰに合流する。
【００２４】
引込搬送路ＤＰは、メイン搬送路ＭＰからスイッチバク搬送路ＳＰに原稿Ｄを引き込むための搬送路（メイン搬送路ＭＰとスイッチバック搬送路ＳＰとを繋ぐ連結路）である。引込搬送路ＤＰは、メイン搬送路ＭＰの読取位置ＲＰよりも原稿搬送方向下流側の位置においてメイン搬送路ＭＰから分岐し、スイッチバック搬送路ＳＰに合流する。
【００２５】
以下、メイン搬送路ＭＰと引込搬送路ＤＰとの分岐位置に符号Ｐ１を付し、引込搬送路ＤＰとスイッチバック搬送路ＳＰとの合流位置に符号Ｐ２を付し、スイッチバック搬送路ＭＰとメイン搬送路ＭＰとの合流位置に符号Ｐ３を付して説明する。
【００２６】
原稿搬送路（メイン搬送路ＭＰ、スイッチバック搬送路ＳＰおよび引込搬送路ＤＰ）に沿って原稿Ｄを搬送するため、原稿搬送ユニット１は原稿搬送部１０を備える。原稿搬送部１０は、給紙機構１１を含む。この給紙機構１１は、原稿セットトレイ１１０にセットされた原稿Ｄを原稿セットトレイ１１０から引き出してメイン搬送路ＭＰに給紙する。なお、給紙機構１１の構成は特に限定されない。
【００２７】
また、原稿搬送部１０は、搬送ローラー対１２（レジストローラー対１３および排出ローラー対１４を含む）、反転ローラー対１５および切替爪１６をさらに含む。
【００２８】
搬送ローラー対１２は、メイン搬送路ＭＰに沿って複数配置される。そして、搬送ローラー対１２は、メイン搬送路ＭＰに原稿Ｄが給紙されると、その原稿Ｄをメイン搬送路ＭＰに沿って搬送する。これにより、メイン搬送路ＭＰに給紙された原稿Ｄは、読取位置ＲＰを通過する。
【００２９】
複数の搬送ローラー対１２のうち、合流位置Ｐ３の近傍（合流位置Ｐ３よりも原稿搬送方向下流側の位置）に配置された搬送ローラー対１２は、レジストローラー対１３として機能する。レジストローラー対１３は、原稿Ｄの進行を一旦停止させてから、読取位置ＲＰに向けて原稿Ｄを搬送する。
【００３０】
また、複数の搬送ローラー対１２のうち、メイン搬送路ＭＰの原稿排出トレイ１１１への排出口１１１Ｐ（メイン搬送路ＭＰの原稿搬送方向の最下流側）に配置された搬送ローラー対１２は、排出ローラー対１４として機能する。排出ローラー対１４は、他の搬送ローラー対１２を回転させるためのモーターとは異なるモーターから駆動力を受けて回転する。このため、複数の搬送ローラー対１２のうち排出ローラー対１４だけを高速回転させることができる。
【００３１】
反転ローラー対１５は、スイッチバック搬送路ＳＰに配置され、スイッチバック搬送路ＳＰに引き込まれた原稿Ｄの搬送方向の前後を反転させる（すなわち、スイッチバックさせる）。この反転ローラー対１５は、正逆回転の切り替えが可能となっている。切替爪１６は、分岐位置Ｐ１において原稿Ｄの搬送経路を切り替えるためのものであり、回動可能に設置される。具体的には、切替爪１６は、分岐位置Ｐ１から引込搬送路ＤＰへの原稿搬送経路を閉じる閉位置（図２参照）と、分岐位置Ｐ１から引込搬送路ＤＰへの原稿搬送経路を開く開位置（図３参照）との間で回動する。
【００３２】
読取位置ＲＰでの原稿Ｄの表裏面の向きを反転させるとき、反転ローラー対１５は、正回転する（原稿Ｄをスイッチバックトレイ１１２側に向けて搬送する方向に回転する）。また、切替爪１６は、開位置に向けて回動する（図２に示す状態から図３に示す状態になる）。これにより、搬送中の原稿Ｄ（読取位置ＲＰに到達した原稿Ｄ）は、分岐位置Ｐ１から引込搬送路ＤＰに進入する。そして、引込搬送路ＤＰに進入した原稿Ｄは、合流位置Ｐ２からスイッチバック搬送路ＳＰに引き込まれる。
【００３３】
その後、反転ローラー対１５は、原稿Ｄの搬送方向後端が合流位置Ｐ２を通過するまで正回転を続ける。そして、反転ローラー対１５は、原稿Ｄの搬送方向後端が合流位置Ｐ２を通過して以降、原稿Ｄの搬送方向後端が反転ローラー対１５の設置位置を通過し切る前に逆回転する。すなわち、反転ローラー対１５は、原稿Ｄをスイッチバックさせ、その原稿Ｄをスイッチバック搬送路ＳＰに沿って搬送する。
【００３４】
スイッチバック搬送路ＳＰに沿って搬送される原稿Ｄは、合流位置Ｐ３からメイン搬送路ＭＰに戻り、再びメイン搬送路ＭＰに沿って搬送されるとともに、読取位置ＲＰに到達する。このときに読取位置ＲＰに到達した原稿Ｄは、スイッチバック搬送路ＳＰにおいてスイッチバックされている。したがって、読取位置ＲＰでの原稿Ｄの表裏面の向きが反転された状態となる。すなわち、原稿Ｄの裏面（原稿セットトレイ１１０への原稿Ｄのセット時に下方に向けた面）がコンタクトガラスＧ１と対向する。このため、読取位置ＲＰにおいて原稿Ｄの裏面の読み取りが可能となる。
【００３５】
ここで、原稿搬送ユニット１には、メイン搬送路ＭＰのうち予め定められた検知位置における原稿Ｄの有無（あるいは、原稿Ｄの先端到達および後端通過）を検知するための原稿搬送センサーが設けられる。たとえば、原稿搬送センサーとしては、給紙センサーＳＳ１、レジストセンサーＳＳ２、タイミングセンサーＳＳ３および排出センサーＳＳ４などがある。
【００３６】
給紙センサーＳＳ１は、給紙機構１１の近傍位置（給紙機構１１の原稿搬送方向下流側の位置）を検知位置とするセンサーである。後述する制御部３１０は、たとえば、給紙センサーＳＳ１の出力値に基づき、無給紙ジャム（原稿セットトレイ１１０からメイン搬送路ＭＰに原稿Ｄが給紙されないというエラー）が発生したか否かを判断する。
【００３７】
レジストセンサーＳＳ２は、レジストローラー対１３の近傍位置（レジストローラー対１３の原稿搬送方向上流側の位置）を検知位置とするセンサーである。後述する制御部３１０は、たとえば、レジストセンサーＳＳ２の出力値に基づき、レジストローラー対１３の設置位置に原稿Ｄの搬送方向先端が到達したか否かを判断する。そして、制御部３１０は、レジストローラー対１３の設置位置に原稿Ｄの搬送方向先端が到達してから一定時間後に、レジストローラー対１３を回転させる。
【００３８】
タイミングセンサーＳＳ３は、読取位置ＲＰの原稿搬送方向上流側に在る搬送ローラー対１２の近傍位置（当該搬送ローラー対１２の原稿搬送方向上流側の位置）を検知位置とするセンサーである。後述する制御部３１０は、たとえば、タイミングセンサーＳＳ３の出力値に基づき、読取位置ＲＰでの原稿Ｄの読取開始タイミングを計る。
【００３９】
排出センサーＳＳ４は、排出ローラー対１４の近傍位置（排出ローラー対１４の原稿搬送方向上流側の位置）を検知位置とするセンサーである。後述する制御部３１０は、たとえば、排出センサーＳＳ４の出力値に基づき、排出ローラー対１４の設置位置を原稿Ｄの搬送方向後端が通過したか否か（原稿排出トレイ１１１に原稿Ｄが排出されたか否か）を判断する。
【００４０】
また、原稿搬送ユニット１には、図２および図３には図示しないが、原稿Ｄのサイズを検知するためのサイズセンサーＳＳ１１およびＳＳ１２（図４参照）が設けられる。サイズセンサーＳＳ１１は、原稿Ｄの主走査方向（幅方向）のサイズを検知するためのセンサーである。サイズセンサーＳＳ１２は、原稿Ｄの主走査方向と直交する副走査方向のサイズ（原稿Ｄの搬送方向長さ）を検知するためのセンサーである。
【００４１】
サイズセンサーＳＳ１１は、原稿セットトレイ１１０に設けられ、一対の規制板１１３の主走査方向の位置に応じて出力値を変化させる。なお、一対の規制板１１３は、原稿セットトレイ１１０にセットされた原稿Ｄの主走査方向の位置を規制する（原稿Ｄを位置決めする）ためのものである。たとえば、一対の規制板１１３は、原稿セットトレイ１１０に対してスライド可能に取り付けられる。
【００４２】
サイズセンサーＳＳ１２は、原稿セットトレイ１１０に複数設けられる。これら複数のサイズセンサーＳＳ１２は、副走査方向に互いに間隔を隔てて配置される。そして、複数のサイズセンサーＳＳ１２は、それぞれ、対応する検知位置に原稿Ｄが有るときと無いときとで出力値を変化させる。
【００４３】
次に、画像読取ユニット２について説明する。画像読取ユニット２は、画像読取部２０を備える。画像読取部２０は、ランプ２１、ミラー２２、レンズ２３およびイメージセンサー２４などを含む。画像読取部２０の各構成部材は、読取筐体２００の内部に保持される。
【００４４】
ランプ２１は、複数のＬＥＤ素子を有し、原稿Ｄに照射する光を生成する。複数のＬＥＤ素子は、図示しないが、主走査方向にライン状に配列される。そして、ランプ２１は、コンタクトガラスＧ１上に搬送される原稿Ｄを読み取るときには、コンタクトガラスＧ１に向けて光を照射する（コンタクトガラスＧ１を透過した光が原稿Ｄを照射する）。一方で、ランプ２１は、コンタクトガラスＧ２上に載置された原稿Ｄを読み取るときには、コンタクトガラスＧ２に向けて光を照射する（コンタクトガラスＧ２を透過した光が原稿Ｄを照射する）。原稿Ｄで反射された反射光は、ミラー２２で反射され、レンズ２３に導かれる。レンズ２３は、反射光を集光する。
【００４５】
イメージセンサー２４は、原稿Ｄで反射された反射光（レンズ２３で集光された光）を受光することにより原稿Ｄをライン単位で読み取る。このイメージセンサー２４は、主走査方向にライン状に並ぶ複数の光電変換素子を有するＣＣＤからなり、反射光を受光すると、ライン単位で画素毎に光電変換して電荷を蓄積する。そして、イメージセンサー２４は、蓄積電荷に応じたアナログ信号を出力する。すなわち、イメージセンサー２４の画素毎のアナログ出力は、反射光の光量に応じて変動する。
【００４６】
＜＜複合機のハードウェア構成＞＞
図４に示すように、複合機１００は、制御部３１０を備える。この制御部３１０は、ＣＰＵ３１１、メモリー３１２（ＲＯＭやＲＡＭなど）および画像処理モジュール３１３を含む。ＣＰＵ３１１は、制御用のプログラムおよびデータに基づき動作する。制御用のプログラムおよびデータは、メモリー３１２に記憶される。画像処理モジュール３１３は、画像処理回路や画像処理メモリーなどで構成され、各種画像処理を画像データに対して行う。
【００４７】
制御部３１０は、印刷部７に接続され、印刷部７の印刷動作を制御する。また、制御部３１０は、操作パネル８に接続され、操作パネル８の表示動作を制御したり、操作パネル８に対して行われた操作を検知したりする。
【００４８】
また、制御部３１０は、原稿搬送ユニット１および画像読取ユニット２に接続される。そして、制御部３１０は、原稿搬送ユニット１の原稿搬送動作および画像読取ユニット２の画像読取動作を制御する。すなわち、制御部３１０は、原稿Ｄの給紙や搬送、原稿Ｄの排出、原稿Ｄの搬送経路の切り替え（切替爪１６の回動）、および、原稿Ｄのスイッチバックなどを原稿搬送部１０に行わせる。また、制御部３１０は、原稿Ｄの読み取りを画像読取部２０に行わせる。
【００４９】
制御部３１０は、原稿搬送ユニット１の原稿搬送動作の制御として、原稿搬送部１０を構成する各種回転体を回転させるためのモーターの駆動制御を行う（各種回転体を適切に回転させる）。当該モーターとしては、給紙モーターＭ１、搬送モーターＭ２、排出モーターＭ３および反転モーターＭ４などがある。
【００５０】
給紙モーターＭ１は、給紙機構１１を動作させるためのモーターである。搬送モーターＭ２は、複数の搬送ローラー対１２のうち排出ローラー対１４以外の搬送ローラー対１２（レジストローラー対１３を含む）を回転させるためのモーターである。排出モーターＭ３は、排出ローラー対１４を回転させるためのモーターである。反転モーターＭ４は、反転ローラー対１５を回転させるためのモーターである。
【００５１】
また、制御部３１０は、切替爪１６を回動させるための駆動源（図示せず）を制御し、切替爪１６を適切に回動させる。すなわち、制御部３１０は、読取位置ＲＰから引込搬送路ＤＰへの原稿搬送経路の開閉を制御する。切替爪１６を回動させるための駆動源は特に限定されず、ソレノイドやモーターを用いることができる。
【００５２】
原稿搬送ユニット１の原稿搬送動作（モータの駆動など）を制御すため、制御部３１０には原稿搬送センサー（給紙センサーＳＳ１、レジストセンサーＳＳ２、タイミングセンサーＳＳ３および排出センサーＳＳ４）が接続される。そして、制御部３１０は、原稿搬送センサーの各出力値に基づき、対応する検知位置における原稿Ｄの有無（原稿Ｄの先端到達および後端通過）を検知する。
【００５３】
また、制御部３１０には、サイズセンサーＳＳ１１およびＳＳ１２が接続される。制御部３１０は、サイズセンサーＳＳ１１の出力値に基づき原稿Ｄの主走査方向（幅方向）のサイズを検知し、サイズセンサーＳＳ１２の出力値に基づき原稿Ｄの副走査方向のサイズ（原稿Ｄの搬送方向長さ）を検知する。
【００５４】
ところで、原稿Ｄの搬送方向長さの検知については、原稿搬送センサーの出力値に基づき行うこともできる。たとえば、制御部３１０は、或る原稿搬送センサー（たとえば、給紙センサーＳＳ１やレジストセンサーＳＳ２）の検知位置で原稿Ｄの先端到達を検知してから同じ検知位置で原稿Ｄの後端通過を検知するまでの時間に基づき、原稿Ｄの搬送方向長さを検知する。あるいは、操作パネル８を介して原稿Ｄのサイズを示すサイズ値の入力をユーザーから受け付け、操作パネル８に入力されたサイズ値に基づき原稿Ｄのサイズ検知が行われてもよい。
【００５５】
＜＜仕分け処理＞＞
本実施形態の複合機１００は、仕分け機能を搭載しており、原稿Ｄの読み取りによって得られた原稿Ｄの画像データに基づき原稿Ｄの読取面が白紙面（画像が存在しない面）であるか非白紙面（画像が存在する面）であるかを判断し、表裏面のうち少なくとも片面が白紙面である原稿Ｄ（たとえば、裏紙などと称される）と両面が非白紙面である原稿Ｄとを仕分ける処理の実行が可能である。なお、当該仕分け処理は制御部３１０によって実行される。
【００５６】
ここで、制御部３１０は、標準モード、速度切替モードおよび逐次通知モードのうちいずれかのモードで仕分け処理を実行する。仕分け処理をいずれのモードで実行するかはユーザーによって設定される。たとえば、操作パネル８は、仕分け処理の３つのモードを選択肢として示し、仕分け処理をいずれのモードで実行するかの選択をユーザーから受け付ける。
【００５７】
制御部３１０は、仕分け処理の実行モードが選択され、仕分け処理の開始を指示するための操作が行われると、仕分け処理の開始指示を受け付けたと判断し、３つの実行モードのうち選択されたモードで仕分け処理を実行する。たとえば、制御部３１０は、ハードウェアキー８２としてのスタートキーに対する操作を検知すると、仕分け処理の開始指示を受け付けたと判断する。
【００５８】
操作パネル８が仕分け処理の開始指示（スタートキーに対する操作）を受け付けると、制御部３１０は、原稿セットトレイ１１０にセットされた原稿Ｄの給紙および搬送を原稿搬送部１０に行わせるとともに、搬送中の原稿Ｄの表面読み取りを画像読取部２０に行わせ、原稿Ｄの表面が白紙面であるか否かを判断する（白紙判定を行う）。この白紙判定の結果、原稿Ｄの表面が非白紙面であれば、制御部３１０は、原稿Ｄのスイッチバックを原稿搬送部１０に行わせ、原稿Ｄの裏面読み取りを画像読取部２０に行わせる。そして、制御部３１０は、原稿Ｄの裏面が白紙面であるか否かを判断する（白紙判定を行う）。
【００５９】
＜標準モード＞
仕分け処理の実行モードとして標準モードが選択された場合、制御部３１０は、原稿Ｄの搬送方向長さを検知する。たとえば、制御部３１０は、サイズセンサーＳＳ１２の出力値に基づき、原稿Ｄの搬送方向長さを検知する。あるいは、操作パネル８に入力されたサイズ値（原稿Ｄの搬送方向長さを示す値）に基づき、原稿Ｄの搬送方向長さの検知が行われてもよい。また、原稿セットトレイ１１０からメイン搬送路ＭＰに原稿Ｄが給紙されて以降、原稿搬送センサー（給紙センサーＳＳ１やレジストセンサーＳＳ２など）の出力値に基づき、原稿Ｄの搬送方向長さの検知が行われてもよい。なお、原稿Ｄの搬送方向長さの検知は、速度切替モードや逐次通知モードで仕分け処理を実行する場合にも行われる。
【００６０】
原稿Ｄの搬送方向長さを検知した後、制御部３１０は、原稿Ｄの搬送方向長さが読取位置ＲＰと分岐位置Ｐ１との間の原稿搬送距離から予め定められたマージンンを減じた閾値長さよりも長いか否かを判断する。その結果、原稿Ｄの搬送方向長さが閾値長さよりも長ければ、制御部３１０は、第１標準モードおよび第２標準モードのうちいずれかのモードで仕分け処理を実行する。なお、第１標準モードおよび第２標準モードのうちいずれのモードで仕分け処理を実行するかの選択をユーザーが行えるようになっていてもよい（当該選択の受け付けは操作パネル８が行う）。一方で、原稿Ｄの搬送方向長さが閾値長さ以下であれば、制御部３１０は、第３標準モードで仕分け処理を実行する。
【００６１】
（第１標準モード）
第１標準モードで仕分け処理を実行する場合、制御部３１０は、原稿Ｄの搬送方向先端が読取位置ＲＰに到達してから、その原稿Ｄが閾値長さに相当する距離を進むのに要する所要時間が経過したとき、白紙判定時点（白紙判定をすべき時点）になったと判断する。たとえば、制御部３１０は、タイミングセンサーＳＳ３の検知位置にて原稿Ｄの搬送方向先端を検知してからの経過時間に基づき、原稿Ｄの搬送方向先端が読取位置ＲＰに到達したか否かを判断する。なお、第１標準モードでは、白紙判定時点になったとき、原稿Ｄの搬送方向先端は未だ分岐位置Ｐ１に到達していない。
【００６２】
白紙判定時点になったとき、制御部３１０は、原稿Ｄの搬送方向先端が読取位置ＲＰに到達してから所要時間が経過するまでの読み取りによって得られた原稿Ｄの一部領域の画像データに基づき、原稿Ｄの読取面が白紙面であるか否かを判断する（白紙判定を行う）。すなわち、図５に示すように、原稿Ｄの読取面のうち、原稿Ｄの搬送方向先端から原稿搬送方向上流側に向かって閾値長さ分だけ遡った位置までの領域である先端側領域の画像データに基づき、原稿Ｄの読取面が白紙面であるか否かの判断が行われる。したがって、ここでは、原稿Ｄの先端側領域以外の領域に画像が存在していても、原稿Ｄの先端側領域に画像が存在しなければ、原稿Ｄの読取面が白紙面であると判断される。図５では、原稿Ｄの先端側領域にハッチングを施す。
【００６３】
なお、第１標準モードでは、原稿Ｄの表面を読取面として読み取る場合（表面読み取りを行う場合）および原稿Ｄの裏面を読取面として読み取る場合（裏面読み取りを行う場合）のいずれの場合についても、原稿Ｄの搬送方向先端が読取位置ＲＰに到達してから所要時間が経過するまでの読み取りによって得られた原稿Ｄの一部領域の画像データに基づき原稿Ｄの読取面が白紙面であるか否かが判断される。ただし、裏面読み取りでは、原稿Ｄをスイッチバックさせるので、スイッチバック前の原稿Ｄの搬送方向後端が搬送方向先端となる。
【００６４】
表面読み取りで原稿Ｄの表面が白紙面であると判断したとき、制御部３１０は、原稿Ｄを読取位置ＲＰからそのまま原稿排出トレイ１１１に向けて排出させ、原稿排出トレイ１１１に原稿Ｄを載置させる。なお、このときに原稿排出トレイ１１１に載置された原稿Ｄの表裏面のうち、白紙面と判断された表面は下向きとされる。この場合の原稿Ｄの搬送経路を図６に示す。図６では、原稿Ｄの搬送経路を太線で示す。
【００６５】
一方で、表面読み取りで原稿Ｄの表面が非白紙面であると判断したとき、制御部３１０は、切替爪１６を開位置に回動させる（図２に示す状態から図３に示す状態にする）。すなわち、メイン搬送路ＭＰから引込搬送路ＤＰへの原稿搬送経路を開く。これにより、原稿Ｄが引込搬送路ＤＰに進入し、原稿Ｄが引込搬送路ＤＰを介してスイッチバック搬送路ＳＰに引き込まれる。
【００６６】
ここで、白紙判定時点で原稿Ｄの表面が非白紙面であると制御部３１０が判断してから切替爪１６の開位置への回動が完了するまでには時間的遅延が生じる。このため、読取位置ＲＰから分岐位置Ｐ１までの原稿搬送距離に相当する長さを閾値長さとして設定すると、切替爪１６の開位置への回動の完了前に原稿Ｄの搬送方向先端が分岐位置Ｐ１に到達し、表面が非白紙面であると判断された原稿Ｄを引込搬送路ＤＰに進入させることができなくなる。したがって、読取位置ＲＰから分岐位置Ｐ１までの原稿搬送距離からマージンを減じた長さ（前述の時間的遅延を考慮した長さ）が閾値長さとされる。
【００６７】
スイッチバック搬送路ＳＰに原稿Ｄを引き込んで以降、制御部３１０は、原稿Ｄの搬送方向後端が合流位置Ｐ２を通過した後であって、原稿Ｄの搬送方向後端が反転ローラー対１５の設置位置を通過する前のタイミングで、反転ローラー対１５を逆回転させる。このとき、制御部３１０は、切替爪１６を閉位置に回動させる（図３に示す状態から図２に示す状態にする）。これにより、原稿Ｄがスイッチバックされ、原稿Ｄがメイン搬送路ＭＰに戻る。たとえば、制御部３１０は、原稿Ｄの搬送方向先端がタイミングセンサーＳＳ３の検知位置に到達してからの経過時間、タイミングセンサーＳＳ３の検知位置から合流位置Ｐ２までの原稿搬送距離、および、原稿Ｄの搬送方向長さに基づき、原稿Ｄの搬送方向後端が合流位置Ｐ２を通過したか否かを判断する。
【００６８】
制御部３１０は、原稿Ｄをスイッチバックさせると、原稿Ｄの読み取りを再度行わせる（裏面読み取りを行わせる）。そして、制御部３１０は、白紙判定時点になると、原稿Ｄの裏面が白紙面であるか否かを判断する。
【００６９】
裏面読み取りで原稿Ｄの裏面が白紙面であると判断したとき、制御部３１０は、原稿Ｄを読取位置ＲＰからそのまま原稿排出トレイ１１１に向けて排出させ、原稿排出トレイ１１１に原稿Ｄを載置させる。このときに原稿排出トレイ１１１に載置された原稿Ｄの表裏面のうち、白紙面と判断された裏面は下向きとされる。この場合の原稿Ｄの搬送経路を図７に示す。図７では、原稿Ｄの搬送経路を太線で示す。
【００７０】
一方で、裏面読み取りで原稿Ｄの裏面が非白紙面であると判断したとき、制御部３１０は、切替爪１６を開位置に回動させる（図２に示す状態から図３に示す状態にする）。これにより、原稿Ｄが引込搬送路ＤＰに進入し、原稿Ｄが引込搬送路ＤＰを介してスイッチバック搬送路ＳＰに引き込まれる。そして、制御部３１０は、原稿Ｄをスイッチバックさせずにそのままスイッチバックトレイ１１２に向けて排出させ、スイッチバックトレイ１１２に原稿Ｄを載置させる。この場合の原稿Ｄの搬送経路を図８に示す。図８では、原稿Ｄの搬送経路を太線で示す。
【００７１】
これにより、原稿排出トレイ１１１に載置された各原稿Ｄの搬送方向下流側の部分（装置前方から見て右側の部分）は全て白紙部分となる。すなわち、原稿排出トレイ１１１には、制御部３１０により白紙面を有すると判断された原稿Ｄだけが載置される。さらに、原稿排出トレイ１１１に載置された原稿Ｄの白紙部分を有する面は下向きとなる。
【００７２】
第１標準モードでの１回目の仕分け処理が完了すると（白紙面を有する原稿Ｄだけが原稿排出トレイ１１１に載置された状態になると）、制御部３１０は、図９に示すような報知メッセージＭＧ１を操作パネル８に表示させる。そして、報知メッセージＭＧ１を表示することによって、原稿排出トレイ１１１に既に載置（排出）されている原稿Ｄを原稿セットトレイ１１０に再セットしてから第１標準モードでの２回目の仕分け処理の開始指示を行うようユーザーに促す。
【００７３】
報知メッセージＭＧ１には、原稿排出トレイ１１１への原稿Ｄの排出時に搬送方向後端となっていた原稿端が原稿セットトレイ１１０からの給紙時には搬送方向先端となるように、かつ、白紙面と判断された原稿面が表面読み取りの読取面となるように、原稿セットトレイ１１０に原稿Ｄを再セットさせるためのメッセージが含まれる。
【００７４】
たとえば、図６および図７に示した搬送経路に沿って原稿Ｄを搬送する構成では、１回目の仕分け処理が完了すると、図１０に示すような状態となる。図１０では、原稿排出トレイ１１１に載置されている原稿Ｄの搬送方向後端に符号ＤＥを付し、原稿Ｄの白紙面と判断された面に符号ＤＳを付す。
【００７５】
この場合、原稿排出トレイ１１１に載置されている原稿Ｄの左右方向の向きを変えずに当該原稿Ｄを原稿セットトレイ１１０に再セットすれば、原稿排出トレイ１１１への原稿Ｄの排出時に搬送方向後端となっていた原稿端が原稿セットトレイ１１０からの給紙時には搬送方向先端となる。また、原稿排出トレイ１１１に載置されている原稿Ｄの上下方向の向きを反転させて当該原稿Ｄを原稿セットトレイ１１０に再セットすれば、白紙面と判断された原稿面が表面読み取りの読取面となる。
【００７６】
そこで、たとえば、「再セットするときに原稿の左右方向の向きは変えないでください」というメッセージを報知メッセージＭＧ１に含めるのが好ましい。さらに、「再セットするときに原稿の上下方向の向きを反転してください」というメッセージを報知メッセージＭＧ１に含めるのが好ましい。
【００７７】
制御部３１０は、第１標準モードでの２回目の仕分け処理の開始指示を操作パネル８が受け付けると、第１標準モードでの１回目の仕分け処理の実行時と同様、原稿Ｄの給紙および搬送を行わせるとともに、原稿Ｄに対する表面読み取りを行わせる。そして、制御部３１０は、原稿Ｄの搬送方向先端が読取位置ＲＰに到達してから所要時間が経過するまでの読み取りによって得られた原稿Ｄの一部領域の画像データに基づき、原稿Ｄの読取面が白紙面であるか否かを判断する（白紙判定を行う）。
【００７８】
ここで、図１１に示すように、２回目の仕分け処理では、１回目の仕分け処理で白紙判定の対象となった領域Ａ１（先端側領域）とは逆側の領域Ａ２（先端側領域）が白紙判定の対象となる。図１１では、領域Ａ１およびＡ２に互いに異なるハッチングを施す。
【００７９】
表面読み取りで原稿Ｄの表面が白紙面であると判断したとき、制御部３１０は、原稿Ｄを読取位置ＲＰからそのまま原稿排出トレイ１１１に向けて排出させ、原稿排出トレイ１１１に原稿Ｄを載置させる。なお、このときに原稿排出トレイ１１１に載置された原稿Ｄの表裏面のうち、白紙面と判断された表面は下向きとされる。この場合の原稿Ｄの搬送経路は図６に示す原稿Ｄの搬送経路と同様である。
【００８０】
一方で、表面読み取りで原稿Ｄの表面が非白紙面であると判断したとき、制御部３１０は、切替爪１６を開位置に回動させる（図２に示す状態から図３に示す状態にする）。これにより、原稿Ｄが引込搬送路ＤＰに進入し、原稿Ｄが引込搬送路ＤＰを介してスイッチバック搬送路ＳＰに引き込まれる。そして、制御部３１０は、原稿Ｄをスイッチバックさせずにそのままスイッチバックトレイ１１２に向けて排出させ、スイッチバックトレイ１１２に原稿Ｄを載置させる。この場合の原稿Ｄの搬送経路を図１２に示す。図１２では、原稿Ｄの搬送経路を太線で示す。
【００８１】
これにより、原稿排出トレイ１１１には、原稿Ｄの少なくとも片面が白紙面であると判断された原稿Ｄだけが載置された状態となる。また、原稿排出トレイ１１１に載置されている各原稿Ｄの白紙面は全て下向きとなる。
【００８２】
なお、原稿Ｄの搬送方向長さが閾値長さの２倍の長さよりも長い場合には、図１３に示すように、１回目の仕分け処理で白紙判定の対象となった領域Ａ１と２回目の仕分け処理で白紙判定の対象となった領域Ａ２との間に未判定領域Ａ３（ハッチングを施していない領域）が生じる。仮に、原稿Ｄの未判定領域Ａ３に画像が存在しても、領域Ａ１およびＡ２に画像が無ければ、その原稿Ｄは白紙面を有する原稿Ｄとして原稿排出トレイ１１１に排出される。したがって、原稿Ｄの搬送方向長さが閾値長さの２倍の長さよりも長い場合には、図示しないが、原稿排出トレイ１１１に排出されている原稿Ｄの確認作業（白紙面を有するか否かを最終確認する作業）をユーザーに促すためのメッセージを操作パネル８に表示してもよい。
【００８３】
第１標準モードで仕分け処理を実行する場合には、上記のように、白紙面を有する原稿Ｄは原稿排出トレイ１１１に排出され、白紙面を有さない原稿Ｄはスイッチバックトレイ１１２に排出される。すなわち、原稿セットトレイ１１０にセットした原稿束を成す複数枚の原稿Ｄが白紙面を有する原稿Ｄと白紙面を有さない原稿Ｄとに仕分けされる。これにより、煩雑な作業（原稿束の各原稿Ｄを１枚ずつ確認する作業など）を行わなくても、原稿束から白紙面を有する原稿Ｄだけを取り出すことができる。すなわち、ユーザーが行う仕分け作業が簡素化される。
【００８４】
また、原稿排出トレイ１１１に載置されている各原稿Ｄの白紙面の向きが揃う（下向きとなる）ので、原稿排出トレイ１１１に載置された原稿束を取り出した後、各原稿Ｄの白紙面の向きを揃える作業も不要となる。これにより、ユーザーが行う仕分け作業がより簡素化される。
【００８５】
なお、仕分け処理の実行に必要な原稿Ｄの搬送（給紙）は、原稿搬送ユニット１によって行われ、仕分け処理の実行に必要な原稿Ｄの読み取りは、画像読取ユニット２によって行われる。すなわち、仕分け処理の実行に必要な各処理は既存のユニットによって行われる。したがって、仕分け機能を複合機１００に搭載しても、部品点数が増加することはない（コストアップを抑制することができる）。
【００８６】
（第２標準モード）
第２標準モードで仕分け処理を実行する場合、制御部３１０は、原稿Ｄを引込搬送路ＤＰからスイッチバック搬送路ＳＰに進入させながら、原稿Ｄの読み取りを行わせる。たとえば、制御部３１０は、仕分け処理の開始時点で、切替爪１６を開位置に回動させておく（図２に示す状態から図３に示す状態にする）。
【００８７】
そして、制御部３１０は、原稿Ｄの搬送方向先端から搬送方向後端までの全領域の読み取りが終了したとき、白紙判定時点になったと判断する。すなわち、制御部３１０は、原稿Ｄの搬送方向先端が読取位置ＲＰに到達してから、その原稿Ｄの搬送方向長さ（搬送方向先端から搬送方向後端までの長さ）に相当する距離を原稿Ｄが進むのに要する時間が経過したとき、白紙判定時点になったと判断する。なお、制御部３１０は、タイミングセンサーＳＳ３の検知位置にて原稿Ｄの搬送方向先端を検知してからの経過時間に基づき、原稿Ｄの搬送方向先端が読取位置ＲＰに到達したか否かを判断する。さらに、制御部３１０は、タイミングセンサーＳＳ３の検知位置にて原稿Ｄの搬送方向後端を検知してからの経過時間に基づき、原稿Ｄの搬送方向後端が読取位置ＲＰを通過したか否かを判断する。なお、第２標準モードでは、白紙判定時点になったとき、原稿Ｄの搬送方向先端は既にスイッチバック搬送路ＳＰ（引込搬送路ＤＰ）に進入した状態となっている。
【００８８】
白紙判定時点になったとき、制御部３１０は、原稿Ｄの搬送方向先端から搬送方向後端までの全領域の画像データに基づき、原稿Ｄの読取面が白紙面であるか否かを判断する（白紙判定を行う）。この場合には、原稿Ｄの読取面のうち、全領域にわたって画像が存在しなければ、原稿Ｄの読取面が白紙面であると判断され、少なくとも一部に画像が存在すれば、原稿Ｄの読取面が非白紙面であると判断される。
【００８９】
表面読み取りで原稿Ｄの表面が白紙面であると判断したとき、制御部３１０は、スイッチバック搬送路ＳＰにて原稿Ｄをスイッチバックさせ、原稿Ｄをスイッチバック搬送路ＳＰからメイン搬送路ＭＰに戻す（メイン搬送路ＭＰに沿って搬送させる）。なお、第２標準モードでのスイッチバック処理（原稿Ｄをスイッチバックさせるための処理）は第１標準モードでのスイッチバック処理と同様である。また、このとき、制御部３１０は、切替爪１６を閉位置に回動させる（図３に示す状態から図２に示す状態にする）。
【００９０】
その後、制御部３１０は、メイン搬送路ＭＰに戻した原稿Ｄをそのまま原稿排出トレイ１１１に向けて排出させ、原稿排出トレイ１１１に原稿Ｄを載置させる。なお、このときに原稿排出トレイ１１１に載置された原稿Ｄの表裏面のうち、白紙面と判断された表面は上向きとされる。この場合の原稿Ｄの搬送経路は図７に示す原稿Ｄの搬送経路と同様である。
【００９１】
一方で、表面読み取りで原稿Ｄの表面が非白紙面であると判断したとき、制御部３１０は、スイッチバック搬送路ＳＰにて原稿Ｄをスイッチバックさせ、原稿Ｄをスイッチバック搬送路ＳＰからメイン搬送路ＭＰに戻す（メイン搬送路ＭＰに沿って搬送させる）とともに、その原稿Ｄの読み取りを再度行わせる（裏面読み取りを行わせる）。そして、制御部３１０は、白紙判定時点になると、原稿Ｄの裏面が白紙面であるか否かを判断する。
【００９２】
裏面読み取りで原稿Ｄの裏面が白紙面であると判断したとき、制御部３１０は、スイッチバック搬送路ＳＰにて原稿Ｄをスイッチバックさせ、原稿Ｄをスイッチバック搬送路ＳＰからメイン搬送路ＭＰに戻す（メイン搬送路ＭＰに沿って搬送させる）。さらに、制御部３１０は、切替爪１６を閉位置に回動させる（図３に示す状態から図２に示す状態にする）。
【００９３】
その後、制御部３１０は、メイン搬送路ＭＰに戻した原稿Ｄをそのまま原稿排出トレイ１１１に向けて排出させ、原稿排出トレイ１１１に原稿Ｄを載置させる。なお、このときに原稿排出トレイ１１１に載置された原稿Ｄの表裏面のうち、白紙面と判断された裏面は上向きとされる。この場合の原稿Ｄの搬送経路を図１４に示す。図１４では、原稿Ｄの搬送経路を太線で示す。
【００９４】
一方で、裏面読み取りで原稿Ｄの裏面が非白紙面であると判断したとき、制御部３１０は、スイッチバック搬送路ＰＳに引き込んだ原稿Ｄをスイッチバックさせずにそのままスイッチバックトレイ１１２に向けて排出させ、スイッチバックトレイ１１２に原稿Ｄを載置させる。この場合の原稿Ｄの搬送経路は図８に示す原稿Ｄの搬送経路と同様である。
【００９５】
これにより、原稿排出トレイ１１１には、原稿Ｄの少なくとも片面が白紙面である原稿Ｄ（原稿Ｄの片面の全領域が白紙である原稿Ｄ）だけが載置された状態となる。また、原稿排出トレイ１１１に載置されている各原稿Ｄの白紙面は全て上向きとなる。
【００９６】
第２標準モードで仕分け処理を実行する場合には、上記のように、白紙面を有する原稿Ｄは原稿排出トレイ１１１に排出され、白紙面を有さない原稿Ｄはスイッチバックトレイ１１２に排出される。これにより、第２標準モードで仕分け処理を実行する場合には、第１標準モードで仕分け処理を実行する場合と同様の効果が得られる。
【００９７】
また、第２標準モードで仕分け処理を実行する場合には、第１標準モードで仕分け処理を実行する場合と異なり、原稿排出トレイ１１１に排出された原稿束を原稿セットトレイ１１０に再セットする作業が不要となる。これにより、ユーザーが行う仕分け作業がより簡素化される。
【００９８】
（第３標準モード）
第３標準モードで仕分け処理を実行する場合、制御部３１０は、原稿Ｄの搬送方向先端から搬送方向後端までの全領域の読み取りが終了したとき、白紙判定時点になったと判断する。なお、第３標準モードでは、白紙判定時点になったか否かの判断が第２標準モードと同様の方法で行われる。ただし、第３標準モードでは、原稿Ｄの搬送方向長さが閾値長さ以下であるので、原稿Ｄの搬送方向先端が分岐位置Ｐ１に到達する前に白紙判定時点になる。
【００９９】
白紙判定時点になったとき、制御部３１０は、原稿Ｄの搬送方向先端から搬送方向後端までの全領域の画像データに基づき、原稿Ｄの読取面が白紙面であるか否かを判断する（白紙判定を行う）。この場合には、原稿Ｄの読取面のうち、全領域にわたって画像が存在しなければ、原稿Ｄの読取面が白紙面であると判断され、少なくとも一部に画像が存在すれば、原稿Ｄの読取面が非白紙面であると判断される。
【０１００】
表面読み取りで原稿Ｄの表面が白紙面であると判断したとき、制御部３１０は、原稿Ｄを読取位置ＲＰからそのまま原稿排出トレイ１１１に向けて排出させ、原稿排出トレイ１１１に原稿Ｄを載置させる。なお、このときに原稿排出トレイ１１１に載置された原稿Ｄの表裏面のうち、白紙面と判断された表面は下向きとされる。この場合の原稿Ｄの搬送経路は図６に示す原稿Ｄの搬送経路と同様である。
【０１０１】
一方で、表面読み取りで原稿Ｄの表面が非白紙面であると判断したとき、制御部３１０は、原稿Ｄをスイッチバックさせてから、原稿Ｄの読み取りを再度行わせる（裏面読み取りを行わせる）。なお、第３標準モードでのスイッチバック処理は第１標準モードでのスイッチバック処理と同様である。また、このとき、制御部３１０は、切替爪１６を閉位置に回動させる（図３に示す状態から図２に示す状態にする）。
【０１０２】
裏面読み取りで原稿Ｄの裏面が白紙面であると判断したとき、制御部３１０は、原稿Ｄを読取位置ＲＰからそのまま原稿排出トレイ１１１に向けて排出させ、原稿排出トレイ１１１に原稿Ｄを載置させる。このときに原稿排出トレイ１１１に載置された原稿Ｄの表裏面のうち、白紙面と判断された裏面は下向きとされる。この場合の原稿Ｄの搬送経路は図７に示す原稿Ｄの搬送経路と同様である。
【０１０３】
一方で、裏面読み取りで原稿Ｄの裏面が非白紙面であると判断したとき、制御部３１０は、切替爪１６を開位置に回動させる（図２に示す状態から図３に示す状態にする）。これにより、原稿Ｄが引込搬送路ＤＰに進入し、原稿Ｄが引込搬送路ＤＰを介してスイッチバック搬送路ＳＰに引き込まれる。そして、制御部３１０は、原稿Ｄをスイッチバックさせずにそのままスイッチバックトレイ１１２に向けて排出させ、スイッチバックトレイ１１２に原稿Ｄを載置させる。この場合の原稿Ｄの搬送経路は図８に示す原稿Ｄの搬送経路と同様である。
【０１０４】
これにより、原稿排出トレイ１１１には、原稿Ｄの少なくとも片面が白紙面である原稿Ｄ（原稿Ｄの片面の全領域が白紙である原稿Ｄ）だけが載置された状態となる。また、原稿排出トレイ１１１に載置されている各原稿Ｄの白紙面は全て下向きとなる。
【０１０５】
第３標準モードで仕分け処理を実行する場合、すなわち、原稿Ｄの搬送長さが短い場合（閾値長さ以下の場合）には、上記のように、白紙面を有する原稿Ｄは原稿排出トレイ１１１に排出され、白紙面を有さない原稿Ｄはスイッチバックトレイ１１２に排出される。これにより、第３標準モードで仕分け処理を実行する場合には、第１標準モードで仕分け処理を実行する場合と同様の効果が得られる。
【０１０６】
また、第３標準モードで仕分け処理を実行する場合には、第１標準モードで仕分け処理を実行する場合と同様の原稿搬送経路に沿って原稿Ｄが搬送される。すなわち、表面読み取りで原稿Ｄの表面が白紙面であると判断された場合および裏面読み取りで原稿Ｄの裏面が白紙面であると判断された場合には、原稿Ｄはスイッチバックされずにそのまま原稿排出トレイ１１１に排出される（スイッチババックの回数が少なくなる）。また、仕分け処理を再度実行する必要もない。これにより、仕分け処理を速やかに完了させることができる。
【０１０７】
（仕分け処理の流れ）
以下に、図１５に示すフローチャートを参照し、仕分け処理を標準モードで実行するときの流れについて説明する。図１５に示すフローチャートは、仕分け処理の開始指示を操作パネル８が受け付けたときにスタートする。
【０１０８】
ステップＳ１において、制御部３１０は、原稿セットトレイ１１０にセットされた原稿Ｄ（仕分け処理の処理対象となる原稿Ｄ）の搬送方向長さを検知する。そして、ステップＳ２において、制御部３１０は、原稿Ｄの搬送方向長さが閾値長さよりも長いか否かを判断する。その結果、原稿Ｄの搬送方向長さが閾値長さよりも長いと制御部３１０が判断した場合には、ステップＳ３に移行し、原稿Ｄの搬送方向長さが閾値長さ以下であると制御部３１０が判断した場合には、ステップＳ４に移行する。
【０１０９】
ステップＳ３に移行した場合、制御部３１０は、仕分け処理の実行モードとして第１標準モードまたは第２標準モードを選択する。ステップＳ４に移行した場合、制御部３１０は、仕分け処理の実行モードとして第３標準モードを選択する。仕分け処理の実行モードが制御部３１０によって選択されると、ステップＳ５に移行する。
【０１１０】
ステップＳ５に移行すると、制御部３１０は、第１標準モード（第２標準モード）および第３標準モードのうち選択したモードで仕分け処理を開始する。すなわち、制御部３１０は、原稿セットトレイ１１０にセットされた原稿Ｄのメイン搬送路ＭＰへの給紙を給紙機構１１に行わせる。なお、原稿搬送部１０は、メイン搬送路ＭＰに原稿Ｄを給紙すると、メイン搬送路ＭＰに沿って原稿Ｄを搬送する。また、ステップＳ６において、制御部３１０は、原稿Ｄに対する表面読み取りを画像読取部２０に行わせる。
【０１１１】
そして、ステップＳ７において、制御部３１０は、表面読み取りによって得られた画像データに基づき、原稿Ｄの表面が白紙面であるか否かを判断する。その結果、原稿Ｄの表面が白紙面であると制御部３１０が判断した場合には、ステップＳ８に移行する。ステップＳ８に移行すると、制御部３１０は、原稿排出トレイ１１１への原稿Ｄの排出を原稿搬送部１０に行わせる。このとき、原稿搬送部１０は、実行モードが第１標準モードまたは第３標準モードであれば、原稿Ｄをスイッチバックさせずに原稿排出トレイ１１１に排出し、実行モードが第２標準モードであれば、原稿Ｄをスイッチバックさせてから原稿排出トレイ１１１に排出する。
【０１１２】
ステップＳ７において、原稿Ｄの表面が非白紙面であると制御部３１０が判断した場合には、ステップＳ９に移行する。ステップＳ９に移行すると、制御部３１０は、原稿Ｄのスイッチバックを原稿搬送部１０に行わせ、原稿Ｄに対する裏面読み取りを画像読取部２０に行わせる。
【０１１３】
そして、ステップＳ１０において、制御部３１０は、裏面読み取りによって得られた画像データに基づき、原稿Ｄの裏面が白紙面であるか否かを判断する。その結果、原稿Ｄの裏面が白紙面であると制御部３１０が判断した場合には、ステップＳ８に移行する。すなわち、制御部３１０は、原稿排出トレイ１１１への原稿Ｄの排出を原稿搬送部１０に行わせる。
【０１１４】
ステップＳ１０において、原稿Ｄの裏面が非白紙面であると制御部３１０が判断した場合には、ステップＳ１１に移行する。ステップＳ１１に移行すると、制御部３１０は、スイッチバックトレイ１１２への原稿Ｄの排出を原稿搬送部１０に行わせる。
【０１１５】
原稿排出トレイ１１１またはスイッチバックトレイ１１２に原稿Ｄを排出した後、ステップＳ１２に移行する。ステップＳ１２に移行すると、制御部３１０は、原稿セットトレイ１１０に原稿Ｄが残っているか否かを判断する。たとえば、原稿セットトレイ１１０には、原稿Ｄがセットされているか否か（原稿Ｄの有無）を検知するための原稿有無センサーが設けられる。そして、制御部３１０は、原稿有無センサーの出力値に基づき、原稿セットトレイ１１０に原稿Ｄが残っているか否かを判断する。
【０１１６】
ステップＳ１２において、原稿Ｄが残っていると制御部３１０が判断した場合には、ステップＳ５に移行する。一方で、原稿Ｄが残っていないと制御部３１０が判断した場合には、本フローは終了する。
【０１１７】
＜速度切替モード＞
仕分け処理の実行モードが速度切替モードであるとき、標準モードで仕分け処理を実行するときと同様、まず、制御部３１０は、表面読み取りによって得られた原稿Ｄの画像データに基づき、原稿Ｄの表面が白紙面であるか否かを判断する（白紙判定を行う）。この判断の結果、原稿Ｄの表面が非白紙面であれば、制御部３１０は、裏面読み取りによって得られた原稿Ｄの画像データに基づき、原稿Ｄの裏面が白紙面であるか否かを判断する（白紙判定を行う）。
【０１１８】
表面読み取りで原稿Ｄの表面が白紙面であると判断したとき、制御部３１０は、原稿Ｄを原稿排出トレイ１１１に排出させる。また、裏面読み取りで原稿Ｄの裏面が白紙面であると判断したとき、制御部３１０は、原稿Ｄを原稿排出トレイ１１１に排出させる。さらに、裏面読み取りで原稿Ｄの裏面が非白紙面であると判断したときも、制御部３１０は、原稿Ｄを原稿排出トレイ１１１に排出させる。すなわち、速度切替モードでは、白紙面を有する原稿Ｄが原稿排出トレイ１１１に排出され、白紙面を有さない原稿Ｄも原稿排出トレイ１１１に排出される。
【０１１９】
たとえば、原稿Ｄを読み取るとき（原稿Ｄが読取位置ＲＰを通過しているとき）に原稿Ｄをスイッチバック搬送路ＳＰに引き込まない場合、すなわち、第１標準モードや第３標準モードと同様の時点で白紙判定を行う場合、制御部３１０は、裏面読み取りで原稿Ｄの裏面が非白紙面であると判断したとき、原稿Ｄを読取位置ＲＰからそのまま原稿排出トレイ１１１に排出させる。
【０１２０】
また、原稿Ｄを読み取るとき（原稿Ｄが読取位置ＲＰを通過しているとき）に原稿Ｄをスイッチバック搬送路ＳＰに引き込む場合、すなわち、第２標準モードと同様の時点で白紙判定を行う場合、制御部３１０は、裏面読み取りで原稿Ｄの裏面が非白紙面であると判断したとき、原稿Ｄをスイッチバックさせてから原稿排出トレイ１１１に排出させる。
【０１２１】
ここで、速度切替モードでは、白紙面を有さない原稿Ｄ（裏面読み取りで裏面が非白紙面であると判断した原稿Ｄ）を原稿排出トレイ１１１に排出するとき、制御部３１０は、排出ローラー対１４の回転速度を切り替える。具体的には、排出すべき原稿Ｄが排出ローラー対１４にだけニップされた状態になったとき、制御部３１０は、排出ローラー対１４の回転速度を通常速度よりも速くする。通常速度というのは、白紙面を有する原稿Ｄを原稿排出トレイ１１１に排出するときの排出ローラー対１４の回転速度である。
【０１２２】
これにより、搬送方向への搬送力（原稿Ｄが搬送方向に進む力）が白紙面を有する原稿Ｄよりも白紙面を有さない原稿Ｄの方が大きくなる。したがって、図１６に示すように、白紙面を有する原稿Ｄ（図１６では符号Ｄ１を付す）の排出位置（搬送方向後端の位置）がメイン搬送路ＭＰの原稿排出トレイ１１１への排出口１１１Ｐに近い位置になるのに対して、白紙面を有さない原稿Ｄ（図１６では符号Ｄ２を付す）の排出位置は排出口１１１Ｐからより離れた位置となる。すなわち、原稿Ｄ２の排出位置が原稿Ｄ１の排出位置よりも原稿搬送方向下流側にずれた状態となる（原稿Ｄ１と原稿Ｄ２とが仕分けされる）。
【０１２３】
なお、白紙面を有する原稿Ｄ１を原稿排出トレイ１１１に排出するとき（当該原稿Ｄ１が排出ローラー対１４にだけニップされた状態になったとき）、排出ローラー対１４の回転速度を通常速度よりも速くしてもよい。
【０１２４】
速度切替モードで仕分け処理を実行する場合には、上記のように、白紙面を有する原稿Ｄ１および白紙面を有さない原稿Ｄ２が共に原稿排出トレイ１１１に排出されるが、原稿排出トレイ１１１上での原稿Ｄ２の載置位置が原稿Ｄ１の載置位置に対してずれる。これにより、簡単に（煩雑な作業を行わなくても）、白紙面を有する原稿Ｄ１と白紙面を有さない原稿Ｄ２とを仕分けることができる。
【０１２５】
＜逐次通知モード＞
仕分け処理の実行モードが逐次通知モードであるとき、標準モードで仕分け処理を実行するときと同様、まず、制御部３１０は、表面読み取りによって得られた原稿Ｄの画像データに基づき、原稿Ｄの表面が白紙面であるか否かを判断する（白紙判定を行う）。この判断の結果、原稿Ｄの表面が非白紙面であれば、制御部３１０は、裏面読み取りによって得られた原稿Ｄの画像データに基づき、原稿Ｄの裏面が白紙面であるか否かを判断する（白紙判定を行う）。
【０１２６】
表面読み取りで原稿Ｄの表面が白紙面であると判断したとき、制御部３１０は、原稿Ｄを原稿排出トレイ１１１に排出させる。また、裏面読み取りで原稿Ｄの裏面が白紙面であると判断したとき、制御部３１０は、原稿Ｄを原稿排出トレイ１１１に排出させる。さらに、裏面読み取りで原稿Ｄの裏面が非白紙面であると判断したときも、制御部３１０は、原稿Ｄを原稿排出トレイ１１１に排出させる。すなわち、逐次通知モードでは、白紙面を有する原稿Ｄが原稿排出トレイ１１１に排出され、白紙面を有さない原稿Ｄも原稿排出トレイ１１１に排出される。
【０１２７】
たとえば、原稿Ｄを読み取るとき（原稿Ｄが読取位置ＲＰを通過しているとき）に原稿Ｄをスイッチバック搬送路ＳＰに引き込まない場合、すなわち、第１標準モードや第３標準モードと同様の時点で白紙判定を行う場合、制御部３１０は、裏面読み取りで原稿Ｄの裏面が非白紙面であると判断したとき、原稿Ｄを読取位置ＲＰからそのまま原稿排出トレイ１１１に排出させる。
【０１２８】
また、原稿Ｄを読み取るとき（原稿Ｄが読取位置ＲＰを通過しているとき）に原稿Ｄをスイッチバック搬送路ＳＰに引き込む場合、すなわち、第２標準モードと同様の時点で白紙判定を行う場合、制御部３１０は、裏面読み取りで原稿Ｄの裏面が非白紙面であると判断したとき、原稿Ｄをスイッチバックさせてから原稿排出トレイ１１１に排出させる。
【０１２９】
ここで、逐次通知モードでは、裏面読み取りで原稿Ｄの裏面が非白紙面であると判断したとき、制御部３１０は、原稿Ｄの搬送を中断する。このとき、制御部３１０は、図１７に示すような報知メッセージＭＧ２を操作パネル８に表示させる。そして、報知メッセージＭＧ２を表示することによって、原稿排出トレイ１１１に既に載置（排出）されている原稿Ｄを取り除いてから仕分け処理の開始指示を再度行うようユーザーに促す。
【０１３０】
制御部３１０は、報知メッセージＭＧ２の表示後、操作パネル８が仕分け処理の再開指示を受け付けると（スタートキーが押下されると）、裏面読み取りで裏面が白紙面であると判断した原稿Ｄ（白紙面を有さない原稿Ｄ）の搬送を再開させる。そして、制御部３１０は、原稿Ｄを読取位置ＲＰから原稿排出トレイ１１１に向けて排出させ、原稿排出トレイ１１１に原稿Ｄを載置させる。このときには、原稿排出トレイ１１１に既に載置されていた原稿Ｄ（白紙面を有する原稿Ｄ）がユーザーによって取り除かれている。このため、白紙面を有さない原稿Ｄを原稿排出トレイ１１１に排出しても、原稿排出トレイ１１１上にて白紙面を有する原稿Ｄと白紙面を有さない原稿Ｄとが混ざることはない。
【０１３１】
逐次通知モードで仕分け処理を実行する場合には、上記のように、搬送中の原稿Ｄが白紙面を有さない原稿Ｄであると判断されたとき、当該原稿Ｄの搬送が中断されるので、その時点で原稿排出トレイ１１１に既に排出されている原稿Ｄ（白紙面を有する原稿Ｄ）を原稿排出トレイ１１１から取り出せば、白紙面を有する原稿Ｄと白紙面を有さない原稿Ｄとが混ざることはない。これにより、簡単に（煩雑な作業を行わなくても）、白紙面を有する原稿Ｄと白紙面を有さない原稿Ｄとを仕分けることができる。
【０１３２】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【０１３３】
８  操作パネル（受付部、表示部）
１０  原稿搬送部
２０  画像読取部
１１０  原稿セットトレイ
１１１  原稿排出トレイ（第１排出トレイ）
１１２  スイッチバックトレイ（第２排出トレイ）
３１０  制御部
ＤＰ  引込搬送と
ＭＰ  メイン搬送路
ＳＰ  スイッチバック搬送路
【図１】
2017183809.tif 000003
【図２】
2017183809.tif 000004
【図３】
2017183809.tif 000005
【図４】
2017183809.tif 000006
【図５】
2017183809.tif 000007
【図６】
2017183809.tif 000008
【図７】
2017183809.tif 000009
【図８】
2017183809.tif 000010
【図９】
2017183809.tif 000011
【図１０】
2017183809.tif 000012
【図１１】
2017183809.tif 000013
【図１２】
2017183809.tif 000014
【図１３】
2017183809.tif 000015
【図１４】
2017183809.tif 000016
【図１５】
2017183809.tif 000017
【図１６】
2017183809.tif 000018
【図１７】
2017183809.tif 000019